(57)【要約】【課題】操作性と安全性を満たすリモコンによるコンピュータのユーザ認証システムを簡易に構成する。【解決手段】押しボタン入力部の操作をトリガーとして所定の無線信号を送信する送信ユニット１１と、無線信号を受信する受信ユニット１２と、受信ユニット１１と通信し送信ユニット１１の操作者を認証するコンピュータ１０とを備える。送信ユニット１１は、指紋に基づき送信ユニット１１の操作者を認証する認証手段を備え、認証手段により操作者が認証されたときにのみ無線信号を赤外線発射部から発射する。【選択図】      図１
2004171104.tif 000002
【特許請求の範囲】
【請求項１】
所定の無線信号を送信する送信ユニットと、
前記無線信号を受信する受信ユニットと、
前記受信ユニットと通信し、前記無線信号をトリガーとして前記送信ユニットの操作者を認証するコンピュータと、
を備えたことを特徴とするコンピュータのユーザ認証システム。
【請求項２】
前記送信ユニットは、署名パターン、指紋、掌紋および声紋などの個人的特徴データの少なくとも一つに基づき、該送信ユニットの操作者を認証する認証手段を備え、該認証手段により該操作者が認証されたときにのみ前記無線信号を送信する、
請求項１に記載のコンピュータのユーザ認証システム。
【請求項３】
送信ユニットの操作者の操作をトリガーとして前記送信ユニットから送信された所定の無線信号の受信の通知を受信ユニットを介して受け、
前記受信ユニットと通信して前記送信ユニットの操作者を認証する、
ことを特徴とするコンピュータのユーザ認証方法。
【請求項４】
前記送信ユニットは、署名パターン、指紋、掌紋および声紋などの個人的特徴データの少なくとも一つに基づき、該送信ユニットの操作者を認証し、該操作者が認証されたときにのみ前記無線信号を送信する、
請求項３に記載のコンピュータのユーザ認証方法。
【請求項５】
送信ユニットの操作者の操作をトリガーとして前記送信ユニットから送信された所定の無線信号の受信の通知を受信ユニットを介して受け、
前記受信ユニットと通信して前記送信ユニットの操作者を認証する、
ステップをコンピュータに実行させるプログラムを備えたことを特徴とするコンピュータのユーザを認証するためのプログラム。
【発明の詳細な説明】
【０００１】
【発明の属する技術分野】
本発明は、コンピュータにログインしたり、スクリーンセイバを起動／解除したり、インターネットを介して他のコンピュータにログインしたりするときなどにユーザを認証するために要求されるＩＤ（識別）番号（以下、単にＩＤと記す）やＰＷ（パスワード）のコンピュータへの入力操作を代行するリモートコントローラ（リモコン）を設けて入力の操作性を向上させ、かつリモコンが盗難され他人に使用されても、本人でなければコンピュータへの入力操作の代行をさせないでコンピュータへの不正アクセスを防止し、機密情報のセキュアリティ（安全性）を確保するコンピュータのユーザ認証システム、その方法およびそのためのプログラムに関する。
【０００２】
【従来の技術】
従来、コンピュータにログインしたり、スクリーンセイバを起動／解除したり、インターネットを介して他のコンピュータにログインしたりするときなどには、ユーザを認証するためコンピュータにＩＤやパスワードを入力する操作が要求される。安全性を高めるためにはパスワードを複雑にすればよいが、パスワードを複雑にするとえてして忘却してしまうのでメモ用紙に書き留めておきこれを見ながら入力することになる。しかしながら、メモ用紙が盗用されるという恐れがある。一方、特定の機器、例えばリモートコントローラ（リモコン）を鍵として使用する場合、すなわちリモコンの所持者にのみコンピュータの使用を許可する場合、この特定な機器が盗まれて不正使用される恐れがある。
【０００３】
この特定機器の盗用を防止しセキュアリティを高めるため、特開平１１−１９１７６２号公報に開示の「認証システム」は、リモコンにＩＤやパスワードを事前に登録した後、ユーザがリモコンにパスワードを入力し、これが登録パスワードに一致したときにのみ、パスワードをリモコンからコンピュータに送信してコンピュータの使用を許可するように構成されている。
【０００４】
しかしながら、上記認証システムは、入力に手間がかかったりメモ用紙が盗用される恐れがあるので、ユーザ認証時のコンピュータへの入力の操作性を向上させ、かつコンピュータへの不正アクセスを防止して機密情報のセキュアリティを保証する認証システムが望まれていた。
【０００５】
特開２０００−３５０２６８号公報に開示された「端末の赤外線リモートコントローラ（リモコン）」は、パーソナルコンピュータ等の端末の電源をリモコンのスイッチでオンオフし（請求項１）、端末の表示情報をリモコンが受信して表示手段に表示し、表示手段に表示された表示情報に基づき種々の処理を端末に実行させ（請求項２）、リモコンの使用者を指紋で認証する（請求項３）ものである。
【０００６】
【特許文献１】
特開２０００−３５０２６８号公報（明細書の［特許請求の範囲］、［発明の詳細な説明］における段落番号［０００３］および［０００６］参照）
特開平１１−１９１７６２号公報（明細書の［特許請求の範囲］の［請求項１］および［発明の詳細な説明］における段落番号［０００７］、［００１２］、［００３９］、［００５７］参照）
【０００７】
【発明が解決しようとする課題】
しかしながら、前記特開２０００−３５０２６８号公報に開示の「端末の赤外線リモートコントローラ」は、セキュアリティを向上させることはできるものの、操作性に関してはコンピュータ等の端末の電源をリモコンのスイッチでオンオフするに過ぎず、コンピュータの使用を許可するユーザ認証時のコンピュータへの入力の操作を含まない。また、前記特開平１１−１９１７６２号公報に開示の「認証システム」は、コンピュータを使用する毎にユーザはパスワードをリモコンに入力しなければならず、操作に手間がかかるという問題を有し、かつコンピュータにパスワードを送信する機能と、特開２０００−３５０２６８号公報に開示のリモートコントローラのようにコンピュータに種々の処理を実行させるためにコンピュータから送信されるデータを受信する機能とをリモコンに持たせる必要があり、リモコンの構成が複雑になるという問題を有する。
【０００８】
それゆえ、本発明は、上記問題を解決し、すなわちユーザを認証するために要求されるＩＤやパスワードのコンピュータへの入力操作を代行するリモートコントローラを設けてユーザ認証時のコンピュータへの入力の操作性を向上させ、かつリモートコントローラの盗用によるコンピュータへの不正アクセスを防止し、機密情報のセキュアリティ（安全性）を確保するため、簡易に構成したリモートコントローラによるコンピュータのユーザ認証システム、その方法およびそのためのプログラムを提供することを目的とする。
【０００９】
【課題を解決するための手段】
上記目的を達成する本発明のコンピュータのユーザ認証システムは、所定の無線信号を送信する送信ユニットと、前記無線信号を受信する受信ユニットと、前記受信ユニットと通信し、前記無線信号をトリガーとして前記送信ユニットの操作者を認証するコンピュータと、備えたことを特徴とする。
【００１０】
上記コンピュータのユーザ認証システムにおいて、前記送信ユニットは、署名パターン、指紋、掌紋および声紋などの個人的特徴データの少なくとも一つに基づき、該送信ユニットの操作者を認証する認証手段を備え、該認証手段により該操作者が認証されたときにのみ前記無線信号を送信する。
【００１１】
上記目的を達成する本発明のコンピュータのユーザ認証方法は、送信ユニットの操作者の操作をトリガーとして前記送信ユニットから送信された所定の無線信号の受信の通知を受信ユニットを介して受け、前記受信ユニットと通信して前記送信ユニットの操作者を認証する、ことを特徴とする。
【００１２】
上記コンピュータのユーザ認証方法において、前記送信ユニットは、署名パターン、指紋、掌紋および声紋などの個人的特徴データの少なくとも一つに基づき、該送信ユニットの操作者を認証し、該操作者が認証されたときにのみ前記無線信号を送信する。
【００１３】
上記目的を達成する本発明のコンピュータのユーザを認証するためのプログラムは、送信ユニットの操作者の操作をトリガーとして前記送信ユニットから送信された所定の無線信号の受信の通知を受信ユニットを介して受け、前記受信ユニットと通信して前記送信ユニットの操作者を認証する、ステップをコンピュータに実行させるプログラムを備えたことを特徴とする。
【００１４】
【発明の実施の形態】
以下、添付図面を参照しつつ本発明の実施の形態を詳細に説明する。
【００１５】
図１は本発明の一実施形態に係るコンピュータのユーザ認証システムの構成図である。図１全体に示す本発明によるコンピュータのユーザ認証システム（以下、単にシステムと記す）１は、コンピュータ１０のユーザを認証するため、所定の無線信号を送信する送信ユニット１１と、無線信号を受信するとともに無線信号に対応する個人識別データを予め格納する受信ユニット１２と、送信ユニット１１から無線信号の受信が通知されると受信ユニット１２と通信し、送信ユニット１１の操作者を認証するコンピュータ１０とを備える。
【００１６】
図２は図１に示すコンピュータのブロック構成図である。図２において一点鎖線の右下側に示すコンピュータ１０は、コンピュータ本体２０、キーボードやマウス等の入力装置２１、表示ユニットやプリンタ等の出力装置２２およびコンピュータ本体２０とＬＡＮやインターネットを介した外部のコンピュータとの間でプログラムやデータを送受信する通信装置２３を有する。
【００１７】
コンピュータ本体２０は、ＣＰＵ２０１、ＣＰＵ２０１が実行するプログラムやデータの一時記憶エリアおよびＣＰＵ２０１のワークエリアに用いられる主記憶装置としてのＲＡＭ２０２、固定のプログラムやデータを記憶するＲＯＭ２０３、必要に応じてＲＡＭ２０２に書込まれるプログラムやデータを格納する磁気ディスク等からなる補助記憶装置２０４、フレキシブルディスクＦＤやコンパクトディスクＣＤ等のようなプログラムやデータの記録媒体Ｍの読取装置２０５およびインタフェース２０６を有する。インタフェース２０６は、ＣＰＵ２０１と受信ユニット１２、入力装置２１、出力装置２２および通信装置２３との間を通信可能に接続する。ＣＰＵ２０１、ＲＡＭ２０２、ＲＯＭ２０３、補助記憶装置２０４、読取装置２０５およびインタフェース２０６は、バスライン２０７を介して互いに通信可能に接続される。
【００１８】
図３は第１実施例の送信ユニットの実施例の正面図である。送信ユニット１１は、無線信号として赤外線を発射する赤外線発射部３１、押しボタン入力部３２、指紋入力部３３および内臓のマイクロコンピュータを有する。
【００１９】
押しボタン入力部３２には、押しボタン操作で、コンピュータ１０にユーザのＩＤおよびパスワードを入力するための押しボタンＩＤ／ＰＷ、ＳＳ、ＰＲＧ１およびＰＲＧ２が配置されている。押しボタンＩＤ／ＰＷはコンピュータにログインする時に、押しボタンＳＳはスクリーンセーバの起動時および解除時に、押しボタンＰＲＧ１およびＰＲＧ２は、それぞれインターネットを介して第１および第２のホームページに接続（ログイン）する際に、押される。
【００２０】
指紋入力部３３は、ユーザが送信ユニット１１の押しボタンＩＤ／ＰＷ、ＳＳ、ＰＲＧ１およびＰＲＧ２の何れか１つを押して対応する無線信号を送信ユニット１１から受信ユニット１２に発信する前に、送信ユニット１１の操作者が事前に送信ユニット１１に登録したユーザであることを確認するためにユーザを指紋で認証する入力部である。ユーザは指紋入力部３３の位置に例えば右手の親指を乗せる。
【００２１】
図４は第１実施例の送信ユニットのブロック構成図である。送信ユニット１１は、一般的なマイクロコンピュータからなり、ＣＰＵ４１、データの一時記憶エリアおよびＣＰＵ４１のワークエリアに用いられる記憶部であるワークＲＡＭ４２、ＣＰＵ４１が実行する指紋認証プログラム等のプログラムを格納するシステムＲＯＭ４３、送信ユニット１１を使用するユーザの指紋の画像データを予め格納する指紋ＲＯＭ４４、押しボタン入力インタフェース４５、指紋読取部４６、無線信号送信部４７および外部機器インタフェース４８を有する。
【００２２】
押しボタン入力インタフェース４５は、図３に示す押しボタン入力部３２の押しボタンＩＤ／ＰＷ、ＳＳ、ＰＲＧ１およびＰＲＧ２のオン／オフ信号をＣＰＵ４１に入力するためのインタフェースである。
【００２３】
指紋読取部４６は、固体撮像素子を用いたＣＣＤカメラを読取りセンサとした周知の指紋読取り機を用いてユーザの指紋を読取り、その指紋の画像データを作成する。この指紋の画像データと予め指紋ＲＯＭ４４に格納したユーザの指紋の画像データとを比較して、一致と判定されたときにのみ無線信号は発信される。
【００２４】
無線信号送信部４７は、押しボタンＩＤ／ＰＷ、ＳＳ、ＰＲＧ１およびＰＲＧ２のオン信号をトリガーにして同ボタンに対応した一意のビット列の赤外線信号に応じて赤外線を所定の送り速度で受信ユニット１２に向けて発射する。上記赤外線信号は、赤外線データ通信の相互接続の規格を規定したＩｒＤＡ（Ｉｎｆｒａｒｅｄ
Ｄａｔａ  Ａｓｓｏｃｉａｔｉｏｎ）標準規格にしたがって作成される。
【００２５】
外部機器インタフェース４８は、ＵＳＢ（Ｕｎｉｖｅｒｓａｌ  Ｓｅｒｉａｌ  Ｂｕｓ）を用いて外部のコンピュータ等の機器に接続して送信ユニット１１の操作者の指紋を登録する際に使用する。
【００２６】
図５は第１実施例の受信ユニットのブロック構成図である。受信ユニット１２は、一般的なマイクロコンピュータからなり、ＣＰＵ５１、データの一時記憶エリアおよびＣＰＵ５１のワークエリアに用いられる記憶部であるワークＲＡＭ５２、ＣＰＵ５１が実行する認証プログラム等のプログラムを格納するシステムＲＯＭ５３、ＲＡＭからなり図８に示す個人識別データのテーブルを格納するテーブル記憶部５４、無線信号受信部５５、通信部５６および外部機器インタフェース５７を有する。
【００２７】
無線信号受信部５５は、送信ユニット１１から発射された赤外線を受光して電気信号に変換する。
【００２８】
通信部５６は、無線信号受信部５５で電気信号に変換されたデータをコンピュータ１０に送り、コンピュータ１０の指示を受け、指示にしたがいテーブル記憶部５４に格納された個人識別データを読取り、読取った個人識別データをコンピュータ本体２０のＣＰＵ２０１に入力する。
【００２９】
外部機器インタフェース５７は、ＵＳＢ（Ｕｎｉｖｅｒｓａｌ  Ｓｅｒｉａｌ  Ｂｕｓ）を用いて外部のコンピュータ等の機器に接続してテーブルをテーブル記憶部５４に格納する際に使用する。なお、通信部５６を介してコンピュータ１０から上記テーブルをテーブル記憶部５４に格納することもできる。
【００３０】
次に送信ユニットおよび受信ユニットの第２実施例を説明する。図４および５を用いて説明した第１実施例の送信ユニットおよび受信ユニットは、無線信号として赤外線を使用している。赤外線通信は送受信装置の構成が簡単であり安価であるが、赤外線が指向性を有するため狭い範囲しか照射できない。そこで、第２実施例の送信ユニットおよび受信ユニットは、広い範囲で送受信が要求される場合に適用する電波により無線通信するものとした。
【００３１】
図６は第２実施例の送信ユニットの機能的ブロック構成図である。送信ユニット１１１は、無線信号として電波を図７に示す第２実施例の受信ユニット１１２に送るため、ベースバンド部６１、変調部６２、無線信号送信部６３、記憶部６４および水晶発振部６５を有する。ここで、無線電波は、短距離（例えば１０ｍ位まで）の無線通信規格であるＢｌｕｅｔｏｏｔｈシステムの２．４５ＧＨｚ帯を用いる。
【００３２】
ベースバンド部６１は、押しボタン操作を受け、記憶部６４に格納された押しボタンに対応する送信データを読取り、読取った送信データを所定の通信プロトコールにしたがって変調部６２で扱える中間周波数信号に変換する。
【００３３】
変調部６２は、ベースバンド部６１から受けた中間周波数信号と水晶発振部６５から発振される基本周波数信号とをミキシングして２．４５ＧＨｚ帯の無線信号に変調した後、この無線信号を無線信号送信部６３に送る。
【００３４】
無線信号送信部６３は、この無線信号を増幅して受信ユニット１１２に向けて電波を発信する。
【００３５】
図７は第２実施例の受信ユニットの機能的ブロック構成図である。受信ユニット１１２は、無線信号として電波を送信ユニット１２から受信するため、無線信号受信部７１、復調部７２、ベースバンド部７３、通信部７４、記憶部７５および水晶発振部７６を有する。受信ユニット１１２とコンピュータ本体２０のＣＰＵ２０１とはインタフェース２０６を介して接続される。ここで、無線信号として、短距離（例えば１０ｍ位まで）の無線通信規格であるＢｌｕｅｔｏｏｔｈシステムの２．４５ＧＨｚ帯の無線電波を用いる。
【００３６】
無線信号受信部７１は、送信ユニット１１２から送信された２．４５ＧＨｚ帯の無線電波を受信して電気信号に変換しフィルタに通す。
【００３７】
復調部７２は、無線信号受信部７１から受けフィルタ通過後の電気信号と水晶発振部７６から発振される基本周波数信号とをミキシングして中間周波数信号に変換した後、ベースバンド部７３で扱えるデジタル信号に復調し、このデジタル信号をベースバンド部７３に送る。
【００３８】
ベースバンド部７３は、無線信号受信部７１、復調部７２を経由して受けたデジタル信号をコンピュータ本体２０のＣＰＵ２０１に処理可能なデータに変換し通信部７４に送る。
【００３９】
通信部７４は、ベースバンド部７３から受けたデータをコンピュータ１０に送り、コンピュータ１０の指示を受け、指示にしたがい記憶部７５に格納されたテーブル内の個人識別データを読取り、読取った個人識別データをコンピュータ本体２０のＣＰＵ２０１に入力する。
【００４０】
記憶部７５は、ＲＡＭからなり、図８に示すテーブルを格納する。
【００４１】
図８は受信ユニットに格納されるテーブルの具体例を示す図であり、（Ａ）はＡ用テーブルを示し、（Ｂ）はＢ用テーブルを示す図である。受信ユニットの記憶部には、送信ユニットから受信した無線信号に対応する個人識別データを登録するためのテーブルが予め格納されている。Ａ用テーブルにはコンピュータの使用者Ａの情報が、Ｂ用テーブルにはコンピュータの使用者Ｂの情報がそれぞれ格納されている。図８の（Ａ）および（Ｂ）に示すテーブルは、最上段に、各列の内容であるコンピュータの使用者のアクセス先、ＩＤ、パスワードおよび用途を示しており、第２段目から第５段目には、使用者のアクセス先、ＩＤおよびパスワードのデータの一列を示している。
【００４２】
このテーブルは次のように用いられる。すなわち、使用者が、コンピュータの画面の状態を判断して、第１の用途である「ＯＳログイン」、第２の用途である「オンラインショッピング」、第３の用途である「予算管理システム」または第４の用途である「スクリーンセイバ起動／解除」の何れかを実行したいとき、リモコンの押しボタン操作をすることにより、各用途に対応するアクセス先にアクセスするために必要な個人識別データであるＩＤ、パスワードがコンピュータに入力される。
【００４３】
図９はコンピュータの表示ユニットに表示される画面の具体例を示す図である。図８を用いて説明したテーブルの用途に対応する使用者のＩＤおよびパスワードのデータはコンピュータの画面の状態に対応して設定される。図９は、第１の用途である「ＯＳログイン」時の画面を示している。コンピュータはこの画面状態は、「ＯＳログイン」にアクセスする直前のものであることが判っているので、この状態でテーブルの登録をすれば、使用者が「ＯＳログイン」時に入力すべきＩＤ、パスワードを登録できる。「スクリーンセイバ起動／解除」は図３におけるＳＳに、「オンラインショッピング」は図３におけるＰＲＧ１に、「予算管理システム」は図３におけるＰＲＧ２に、それぞれ対応する。
【００４４】
図１０は本発明を実行するためコンピュータへの入力シーケンスを記述した定義体を登録する手順を示すフローチャートである。この定義体はコンピュータで次のように作成する。
【００４５】
まず、ステップＳ１で、コンピュータへの入力シーケンスを記述した定義体を登録するための画面をコンピュータの表示ユニットの画面上に表示する。これは、図８を用いて説明した各用途に対応するアクセス先にＩＤおよびパスワードを入力する時の画面である。
【００４６】
ステップＳ２で、画面を見ながらキーボードやマウスで画面上の所定の位置にＩＤおよびパスワードを入力する。
【００４７】
ステップＳ３で、ステップＳ２で入力したＩＤおよびパスワードの画面上の位置およびＩＤおよびパスワードの文字コード（英数字、記号等）をコンピュータのＲＡＭに一時記憶する。
【００４８】
ステップＳ４で、図８に示すような各用途に対応するアクセス先に入力するＩＤおよびパスワードからなるコンピュータの使用者の個人識別データを登録するテーブルを作成し、そのテーブルを受信ユニットに格納する。
【００４９】
ステップＳ５で、ステップＳ３で一時記憶したＩＤおよびパスワードの画面上の位置およびＩＤおよびパスワードの文字コードを元にこれらのコンピュータへの入力シーケンス（順序）を記述した定義体をコンピュータのＲＡＭに格納する。これにより各用途に対応するアクセス先にＩＤおよびパスワードを入力する時のコンピュータへの入力シーケンスが登録される。
【００５０】
図１１は送信ユニットが個人的特徴データに基づき送信ユニットの操作者を認証する認証処理ルーチンを実行するフローチャートを示す図である。本ルーチンは送信ユニットが実行する。また、個人的特徴データには、署名パターン、指紋、掌紋および声紋などあるが、図３に示すように、指紋に基づき操作ユニットの操作者を認証する送信ユニットの実施例について以下に説明する。
【００５１】
まずステップＳ１で、指紋入力部に入力された指紋データを読取る。
【００５２】
ステップＳ２で、ステップＳ１で読取った指紋データと指紋ＲＯＭに予め登録した指紋データと照合し、これらのデータが一致したか否かを判定し、ＹＥＳと判定されたときはステップＳ３に進み、ＮＯと判定されたときは本ルーチンを終了する。
【００５３】
ステップＳ３で、押しボタン入力部から押しボタンが押されたか否かを判定し、ＹＥＳと判定されたときはステップＳ４に進み、ＮＯと判定されたときは本ルーチンを終了する。
【００５４】
ステップＳ４で、ステップＳ３で押された押しボタンに対応する無線信号を受信ユニットに向けて送信する。
【００５５】
以上の処理により、指紋に基づき、送信ユニットの操作者が予め登録した操作者であると判定されたときにのみ無線信号を受信ユニットに向けて送信するので、セキュアリティが向上する。
【００５６】
また、他の実施例として、指紋の代わりに署名パターンまたは掌紋に基づき、操作ユニットの操作者を認証する場合は、図４における指紋読取部を署名パターン読取部または掌紋読取部に置換え、指紋ＲＯＭを署名パターンＲＯＭまたは掌紋ＲＯＭに置換え、かつ上記ルーチンと同様なルーチンを実行すればよい。
【００５７】
また、他の実施例として、指紋の代わりに声紋に基づき、操作ユニットの操作者を認証する場合は、図４における指紋読取部をマイクロフォンを有する声紋入力部に置換え、指紋ＲＯＭを声紋パターンＲＯＭに置換え、かつ上記ルーチンと同様なルーチンを実行すればよい。声紋パターンは送信ユニットの操作者の音声から抽出したデータであり予め声紋パターンＲＯＭに格納しておく。
【００５８】
図１２は受信ユニットが送信ユニットから無線信号を受信し個人識別データをコンピュータに入力する手順を示すフローチャートである。この入力処理ルーチンは、受信ユニットが送信ユニットからの無線信号をコンピュータに通知し、コンピュータと通信して実行される。送信ユニットからの無線信号は操作ユニットの使用者による押しボタン操作をトリガーとして発生される。
【００５９】
まずステップＳ１で、無線信号を送信ユニットから受信する。
【００６０】
ステップＳ２で、受信した無線信号に対応するＩＤおよびパスワードが受信ユニットに格納されたテーブル内に在るか否かをチェックし、そのチェック結果、テーブル内に上記ＩＤおよびパスワードが在ると判定されたときはステップＳ３に進み、無いと判定されたときは本ルーチンを終了する。
【００６１】
ステップＳ３で、コンピュータに無線信号の受信を通知する。
【００６２】
ステップＳ４で、コンピュータの指示を受け、テーブル内にアクセス先データに対応するＩＤおよびパスワードが格納されているか否かをチェックするためテーブル内をスキャンし、そのチェック結果、テーブル内に上記ＩＤおよびパスワードが在ると判定されたときはステップＳ５に進み、無いと判定されたときは本ルーチンを終了する。
【００６３】
ステップＳ５で、テーブル内から上記ＩＤおよびパスワードを取出しコンピュータに送る。
【００６４】
図１３はコンピュータが送信ユニットから無線信号を受信しコンピュータの画面の状態に応じて個人識別データをコンピュータに入力する手順を示すフローチャートである。この入力処理ルーチンは、コンピュータが送信ユニットからの無線信号を受信ユニットから受信した後にコンピュータにより実行される。送信ユニットからの無線信号は操作ユニットの使用者による押しボタン操作をトリガーとして発生される。
【００６５】
まずステップＳ１で、無線信号を受信ユニットから受信する。
【００６６】
ステップＳ２で、表示ユニットの画面情報を読取る。この画面情報は、図８に示すアクセス先のデータを含む。
【００６７】
ステップＳ３で、ステップＳ２で読取ったアクセス先のデータに一致するアクセス先のデータが受信ユニットの記憶部に格納されたテーブル内に有るか否かをチェックするためテーブル内をスキャンし、そのスキャン結果、テーブル内に上記アクセス先のデータが在ると判定されたときはステップＳ４に進み、無いと判定されたときは本ルーチンを終了する。
【００６８】
ステップＳ４で、受信ユニットに格納されたテーブル内にアクセス先データに対応するＩＤおよびパスワードが格納されているか否かをチェックするためテーブル内をスキャンするよう受信ユニットに指示する。
【００６９】
ステップＳ５で、テーブル内の上記アクセス先のデータに対応するＩＤおよびパスワードを受信ユニットから取込む。
【００７０】
ステップＳ６で、テーブル内の上記アクセス先に対応する予め登録した定義体にしたがってコンピュータへの入力シーケンスを実行する。
【００７１】
以上説明した実施形態では、図３に示す複数の押しボタンの各々に対応して一意のアクセス先が予め登録される例を示したが、他の実施形態として１個の押しボタンだけ持つリモコンを複数設けて各リモコンに対応して一意のアクセス先が予め設定されるように構成してもよい。これらの両形態において、リモコンから発信される互いに異なる複数種類の無線信号の各々に対応して一意のアクセス先が予め登録され、１つのリモコンの複数の押しボタン操作または１個の押しボタンを持つ複数のリモコンからの押しボタン操作で、各押しボタン操作に対応する無線信号に応じたＩＤおよびパスワードをコンピュータに入力できる。
【００７２】
一方、リモコンから発信される無線信号が１種類、すなわち同一の無線信号であっても、コンピュータの表示ユニットの画面の状態に対応させてアクセス先に対応するＩＤおよびパスワードを予め登録しておけば、リモコンの押しボタン操作で、画面の状態に応じたＩＤおよびパスワードをコンピュータに入力できる。
【００７３】
（付記１）
所定の無線信号を送信する送信ユニットと、
前記無線信号を受信する受信ユニットと、
前記受信ユニットと通信し、前記無線信号をトリガーとして前記送信ユニットの操作者を認証するコンピュータと、
を備えたことを特徴とするコンピュータのユーザ認証システム。
【００７４】
（付記２）
前記コンピュータは、前記無線信号に対応する個人識別データを前記受信ユニットの記憶部に予め登録する登録手段を有する、
付記１に記載のコンピュータのユーザ認証システム。
【００７５】
（付記３）
前記登録手段は、前記個人識別データを、前記コンピュータの表示ユニットの画面情報に対応させて前記受信ユニットの記憶部に予め登録する、
付記２に記載のコンピュータのユーザ認証システム。
【００７６】
（付記４）
前記受信ユニットは、前記送信ユニットから前記無線信号の受信すると、前記コンピュータに該無線信号の受信を通知し、
前記無線信号に対応しかつ登録した個人識別データを前記記憶部から読取り、読取った個人識別データをコンピュータに入力する、
付記２または３に記載のコンピュータのユーザ認証システム。
【００７７】
（付記５）
前記受信ユニットは、前記送信ユニットから前記無線信号を受信すると、前記コンピュータに該無線信号の受信を通知し、
前記コンピュータは、前記無線信号に対応する個人識別データを前記受信ユニットから取込む、
付記２または３に記載のコンピュータのユーザ認証システム。
【００７８】
（付記６）
前記受信ユニットは、前記送信ユニットから前記無線信号を受信すると、前記コンピュータに該無線信号の受信を通知し、
前記コンピュータは、前記無線信号の受信の通知を受けた時の該コンピュータの画面情報に対応する個人識別データを前記受信ユニットから取込む、
付記２または３に記載のコンピュータのユーザ認証システム。
【００７９】
（付記７）
前記送信ユニットは、署名パターン、指紋、掌紋および声紋などの個人的特徴データの少なくとも一つに基づき、該送信ユニットの操作者を認証する認証手段を備え、該認証手段により該操作者が認証されたときにのみ前記無線信号を送信する、
付記１乃至６の何れか一つに記載のコンピュータのユーザ認証システム。
【００８０】
（付記８）
送信ユニットの操作者の操作をトリガーとして前記送信ユニットから送信された所定の無線信号の受信の通知を受信ユニットを介して受け、
前記受信ユニットと通信して前記送信ユニットの操作者を認証する、
ことを特徴とするコンピュータのユーザ認証方法。
【００８１】
（付記９）
前記無線信号の受信の通知を受けた時のコンピュータの画面情報に対応する個人識別データを前記受信ユニットから取込む、
付記８に記載のコンピュータのユーザ認証方法。
【００８２】
（付記１０）
前記送信ユニットは、署名パターン、指紋、掌紋および声紋などの個人的特徴データの少なくとも一つに基づき、該送信ユニットの操作者を認証し、該操作者が認証されたときにのみ前記無線信号を送信する、
付記８または９に記載のコンピュータのユーザ認証方法。
【００８３】
（付記１１）
送信ユニットの操作者の操作をトリガーとして前記送信ユニットから送信された所定の無線信号の受信の通知を受信ユニットを介して受け、
前記受信ユニットと通信して前記送信ユニットの操作者を認証する、
ステップをコンピュータに実行させるプログラムを備えたことを特徴とするコンピュータのユーザを認証するためのプログラム。
【００８４】
【発明の効果】
以上説明した本発明の構成によれば、ユーザを認証するために要求されるＩＤやパスワードのコンピュータへの入力操作を代行するリモートコントローラを設けてユーザ認証時のコンピュータへの入力の操作性を向上させ、かつリモートコントローラの盗用によるコンピュータへの不正アクセスを防止し、機密情報のセキュアリティ（安全性）を確保するため、簡易に構成したリモートコントローラによるコンピュータのユーザ認証システム、その方法、およびそのためのプログラムを提供できる。また、認証装置であるリモコンを常に持ち歩けるので、コンピュータ本体に認証装置を備えるよりも、安全性が向上する。
【図面の簡単な説明】
【図１】本発明の一実施形態に係るコンピュータのユーザ認証システムの構成図である。
【図２】図１に示すコンピュータのブロック構成図である。
【図３】第１実施例の送信ユニットの実施例の正面図である。
【図４】第１実施例の送信ユニットのブロック構成図である。
【図５】第１実施例の受信ユニットのブロック構成図である。
【図６】第２実施例の送信ユニットの機能的ブロック構成図である。
【図７】第２実施例の受信ユニットの機能的ブロック構成図である。
【図８】受信ユニットに格納されるテーブルの具体例を示す図であり、（Ａ）はＡ用テーブルを示し、（Ｂ）はＢ用テーブルを示す図である。
【図９】コンピュータの表示ユニットに表示される画面の具体例を示す図である。
【図１０】本発明を実行するためコンピュータへの入力シーケンスを記述した定義体を作成する手順を示すフローチャートである。
【図１１】送信ユニットが個人的特徴データに基づき送信ユニットの操作者を認証する認証処理ルーチンを実行するフローチャートを示す図である。
【図１２】受信ユニットが送信ユニットから無線信号を受信し個人識別データをコンピュータに入力する手順を示すフローチャートである。
【図１３】コンピュータが送信ユニットから無線信号を受信しコンピュータの画面の状態に応じて個人識別データをコンピュータに入力する手順を示すフローチャートである。
【符号の説明】
１…ユーザ認証システム
１０…コンピュータ
１１…送信ユニット
１２…受信ユニット
３１…赤外線発射部
３２…押しボタン入力部
３３…指紋入力部
４４…指紋ＲＯＭ
４６…指紋読取部
【図１】
2004171104.tif 000003
【図２】
2004171104.tif 000004
【図３】
2004171104.tif 000005
【図４】
2004171104.tif 000006
【図５】
2004171104.tif 000007
【図６】
2004171104.tif 000008
【図７】
2004171104.tif 000009
【図８】
2004171104.tif 000010
【図９】
2004171104.tif 000011
【図１０】
2004171104.tif 000012
【図１１】
2004171104.tif 000013
【図１２】
2004171104.tif 000014
【図１３】
2004171104.tif 000015